【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
吸い込まれた空気の中のＣＯ２レベルを増加および維持するための呼吸装置（１）であって、
吸い口（２）の第１の端部と第２の端部との間の接続部を形成するべく、呼吸経路を形成する吸い口（２）であって、前記第１の端部は、ユーザが、呼吸開口部（５）を通して前記吸い口の中に息を吹き込むことを目的として構成される、吸い口（２）と、
前記吸い口の前記第２の端部に取り付けられ、それによって、前記呼吸経路と流体連通している、少なくとも部分的に可撓性の再呼吸空気チャンバ（１５）であって、前記再呼吸空気チャンバは、少なくとも部分的に可撓性の壁部（複数可）によって形成される、少なくとも部分的に可撓性の再呼吸空気チャンバ（１５）と、
を備え、
前記少なくとも部分的に可撓性の再呼吸チャンバ（１５）は、前記壁部に設けられた複数の細孔（３６）及び／若しくは貫通開口部（２７）のような１つ以上のものによって、空気に対して透過性である第１の壁部（３，１０，１１，１６，２８）と、空気に対して非透過性である第２の壁部と、を有する、および／または、
前記吸い口（２）は、前記呼吸経路と周囲大気との間の流体連通を可能にする１つ以上の貫通開口部（１９，３５）を備える、呼吸装置。
【請求項２】
請求項１に記載の呼吸装置であって、
前記再呼吸空気チャンバ（１５）は、
前記少なくとも部分的に可撓性の第１の壁部（３，１０，１１，１６，２８）にある多数の貫通開口部及び／若しくは細孔であって、前記貫通開口部及び／若しくは細孔は、気体に対する透過性を提供し、且つ全体としての流れコンダクタンスＧを有する、多数の貫通開口部及び／若しくは細孔、
を備え、
前記細孔及び／若しくは貫通開口部から離れた前記第１の壁部は、気体に対して非透過性であり、且つ、前記第１の壁部にまたがる圧力差によって変形可能であり、前記圧力差は、前記再呼吸チャンバの中にユーザが息を吹き込むことによって提供される大きさのものであり、これによって、前記第１の壁部は、前記第１の壁部によって取り囲まれる前記再呼吸チャンバに、実質的な時間で正規化されたコンプライアンスＣを与え、ここでＣは、前記壁部にまたがる圧力差あたり、一秒あたりの、前記再呼吸チャンバの体積膨張として決定され、
前記再呼吸空気チャンバは、好ましくは０．５と０．９５の間など、０．５と０．９の間の値として、ここでは定義される再呼吸比を有する、呼吸装置。
【請求項３】
請求項１または２に記載の呼吸装置であって、
前記呼吸装置（１）は、再呼吸空気チャンバ接続器（２６）を更に備え、前記接続器（２６）は、
・顔マスク若しくは前記吸い口（２）を前記再呼吸空気チャンバ（１５）に接続することを目的として、若しくは、
・前記接続器（２６）が前記吸い口（２）を形成するように、
構成され、
前記接続器（２８）の少なくとも一部分は、前記第１の壁部及び／若しくは前記第２の壁部の少なくとも一部分を形成し、前記再呼吸空気チャンバ接続器（２６）は、前記再呼吸空気チャンバ（１５）に入る、及び／若しくは前記再呼吸空気チャンバ（１５）から出る際の、ユーザの息との流体連通を可能にする、呼吸装置。
【請求項４】
請求項３に記載の呼吸装置であって、
前記再呼吸空気チャンバは、前記再呼吸空気チャンバ接続器（２６）に配置された前記呼吸経路を更に備え、これによって、使用中、前記再呼吸空気チャンバ（１５）に入る、及び／若しくは前記再呼吸空気チャンバ（１５）から出る際の、前記ユーザの口との流体連通を可能にし、
前記呼吸経路は、少なくとも１つの貫通開口部（１９，３５）を有し、これによって、前記呼吸装置に入る、及び／若しくは前記呼吸装置から出る際の、前記周囲大気との流体連通を可能にする、呼吸装置。
【請求項５】
請求項４に記載の呼吸装置であって、
前記貫通開口部の１つ以上は、閉止可能であり、及び／若しくは、例えば、バルブ機構（３８）によって、サイズ（３４）が調節可能である、呼吸装置。
【請求項６】
請求項３から請求項５のいずれか一項に記載の呼吸装置であって、
前記再呼吸空気チャンバは、前記再呼吸空気チャンバ接続器（２６）上に配置された、調節可能でない貫通開口部（２７）を備え、これによって、前記再呼吸空気チャンバに入る、及び／若しくは前記再呼吸空気チャンバから出る際の、前記周囲大気との流体連通を可能にする、呼吸装置。
【請求項７】
請求項３から請求項６のいずれか一項に記載の呼吸装置であって、
前記再呼吸空気チャンバ接続器（２６）は、受け口（２９）を更に備え、前記受け口（２９）は、前記再呼吸空気チャンバに入る、及び／若しくは前記再呼吸空気チャンバから出る際の流体連通を可能にしながら、前記再呼吸空気チャンバを前記吸い口に接続することを目的として構成され、
１つ以上の再閉止可能な、及び／若しくは調節可能な開口部は、好ましくは、２つの平行な長手方向の壁部（２５）の間に配置された滑動部（２４）を備え、前記滑動部は、前記可撓性の壁部（１８）上に配置され、前記滑動部（２４）は、前記滑動部（２４）が前記２つの平行な長手方向の壁部（２５）の間で一方の側に移動する場合、前記再呼吸空気チャンバ（１５）の中への開口部を提供し、前記滑動部（２４）は、前記再呼吸空気チャンバ（１５）の中への空気の流れを調節することを目的として構成される、呼吸装置。
【請求項８】
請求項１から請求項７のいずれか一項に記載の呼吸装置であって、
前記貫通開口部（１９，２７）及び／若しくは滑動部／バルブの可変開口部（３０）は、前記再呼吸空気チャンバから出ていく流体を、ユーザの顔から遠ざけるように向ける／角度をつけることを目的として構成される、呼吸装置。
【請求項９】
請求項１から請求項８のいずれか一項に記載の呼吸装置であって、
前記細孔及び／若しくは貫通開口部の水力直径は、２ｃｍよりも小さく、前記水力直径は、１０-3ｍよりも小さいなどであり、好ましくは、１８０×１０-6ｍに等しい、若しくは１８０×１０-6ｍよりも小さい、呼吸装置。
【請求項１０】
請求項１から請求項９のいずれか一項に記載の呼吸装置（１）であって、
前記再呼吸空気チャンバ（１５）は、１リットルと１６リットルとの間の体積を有し、前記体積は、２リットルと８リットルとの間などにあり、好ましくは４リットルと６リットルとの間にある、呼吸装置（１）。
【請求項１１】
請求項１から請求項１０のいずれか一項に記載の呼吸装置（１）であって、
第１の壁部は、２０℃及び標準大気（１０１．３２５ｋＰａ）で決定された標準空気に対する気体透過流速を有し、前記気体透過流速は、少なくとも約０．０００５ｍ3／（秒＊ｍ2＊ｋＰａ）であり、且つ、前記再呼吸空気チャンバの内部と前記周囲大気との間の圧力差は、５パスカルと３５パスカルとの間である、呼吸装置（１）。
【請求項１２】
請求項１から請求項１１のいずれか一項に記載の呼吸装置（１）であって、
前記呼吸装置は、前記呼吸装置の中に組み込まれたＣＯ2感知装置若しくはＯ2感知装置を備え、これらの装置は、吸い込まれた空気及び／若しくは吐き出された空気のＣＯ2レベル及び／若しくはＯ2レベルを測定するように構成される、呼吸装置（１）。
【請求項１３】
請求項１から請求項１２のいずれか一項に記載の呼吸装置（１）であって、
前記呼吸装置は、Ｏ2感知装置を備え、前記Ｏ2感知装置は、ユーザのＯ2レベルを測定することを目的として構成される、呼吸装置（１）。
【請求項１４】
請求項１から請求項１３のいずれか一項に記載の呼吸装置（１）であって、
前記呼吸装置は香り付け装置を備え、前記香り付け装置は、メントールの香りを有するべく香り付けをするなど、前記再呼吸気体の匂いを変化させるように構成される、呼吸装置（１）。
【請求項１５】
請求項１から請求項１４のいずれか一項に記載の呼吸装置（１）であって、
小室（９，２１，２２）を更に備え、前記小室（９，２１，２２）の内部には、使用されていない場合、前記吸い口（２）の一部分及び前記再呼吸空気チャンバ（１５）が格納される、呼吸装置（１）。
【請求項１６】
請求項１５に記載の呼吸装置（１）であって、
前記吸い口（２）の前記一部分及び前記再呼吸空気チャンバ（１５）は、前記小室の中で位置変更的に配置されるなど取り替え可能である、呼吸装置（１）。
【請求項１７】
請求項１５若しくは請求項１６に記載の呼吸装置（１）であって、
前記小室（２１）は、蓋のような２つの着脱可能な小室要素（２２）を備え、各々は、前記小室（２１）の端部に位置変更的に配置されるなど取り替え可能であり、前記２つの着脱可能な小室要素は、装置が使用されない場合、前記再呼吸空気チャンバ（１５）若しくは呼吸経路のいずれかへのアクセスを妨げ、前記着脱可能な小室要素（２２）は、位置変更されるなど、取り外される若しくは取り替えられる場合、前記再呼吸空気チャンバ（１５）へのアクセス、及び／若しくは前記呼吸経路（２）へのアクセスを提供するように構成される、呼吸装置（１）。
【請求項１８】
請求項１７に記載の呼吸装置（１）であって、
前記小室要素（２２）は、使用していない間に、前記再呼吸空気チャンバ（１５）若しくは呼吸経路へのアクセスがある端部に隣接する２つの側（２３）で位置変更されるなどで、取り替えられるように構成され、それによって、使用中に前記呼吸装置をより良く把持することを提供する、呼吸要素（１）。
【請求項１９】
請求項１から請求項１８のいずれか一項に記載の呼吸装置であって、
片頭痛、癲癇、熱性痙攣、または腰椎穿刺性頭痛の治療、喘息の予防的治療、または拍停止の治療に使用するための、呼吸装置。
【請求項２０】
請求項１３から請求項１９のいずれか一項に記載の呼吸装置であって、
前記再呼吸空気チャンバ接続器（２６）は、前記接続器（２６）に配置された多数の平行に伸びる折りたたみ線（３２）を備えることによって、折りたたみ可能であり、これによって、空気呼吸接続器（２６）が、好ましくは直方体である空隙（３３）を定義する配置に折りたたまれることを可能にし、好ましくは、前記呼吸用空気チャンバ接続器（２６）の寸法は、折りたたまれた配置にある場合、前記再呼吸空気チャンバ（１５）の少なくとも一部分が、前記空隙（３３）の内部に収容されるように、選択される、呼吸装置。
【請求項２１】
請求項１から請求項２０のいずれか一項に記載の呼吸装置であって、
前記再呼吸空気チャンバ（１５）は、前記再呼吸空気チャンバの壁部に取り付けられた細片（３７）を備え、前記細片（３７）は、ユーザが、好ましくは折りたたまれた配置から前記再呼吸空気チャンバを展開するべく、前記再呼吸空気チャンバ（１５）を膨張させることを可能にし、その結果として、ユーザが、前記再呼吸空気チャンバの中に空気を吐き出すことを容易にする、呼吸装置。